(57)【特許請求の範囲】
【請求項１】
突出する方向に付勢されて錠箱に可動に設けられたラッチボルトと、ラッチボルトにその長さ方向に沿って備えられたラック歯列と、ラッチボルトの近くにおける錠箱に回動可能に支承され前記ラック歯列に噛み合うピニオンと、そのピニオンに一体的に結合されピニオンの半径方向に延びる係止レバーと、中央部をフロント板の近くにおける錠箱に揺動可能に支承されると共に後端が前記係止レバーに近接する方向に付勢され、開扉時後端が前記係止レバーに選択的に係合するトリガー部材と、トリガー部材の前端と扉枠との間に設けられ、閉扉時該トリガー部材を非係合位置に変位させる磁石式起動手段と、錠箱に設けられ、ラッチボルト及び扉の操作部材に連係させたリトラクタとを備えた錠において、上記トルク軸を、錠箱の両側板間に掛け渡される固定の枢軸の外側に回動可能に嵌装される筒状の部材とし、このトルク軸の外周面中央部にピニオンを回り止めを施して同軸に固定し、一方、上記枢軸が挿通される貫通孔と、トルク軸の一端部に外側から回動可能に嵌合する嵌め孔とを連設したトルク軸受を、錠箱の側板内側に回り止めを施して固定すると共に、嵌め孔の開口端縁をピニオンに近接させるようにその長さを設定し、トルク軸とトルク軸受の嵌め合わせ部分にシリコンオイルその他の高粘性物質を介在させたことを特徴とする錠におけるラッチボルトの消音装置。
【請求項２】
突出する方向に付勢されて錠箱に可動に設けられたラッチボルトと、ラッチボルトにその長さ方向に沿って備えられたラック歯列と、ラッチボルトの近くにおける錠箱に回動可能に支承され前記ラック歯列に噛み合うピニオンと、そのピニオンに一体的に結合されピニオンの半径方向に延びる係止レバーと、中央部をフロント板の近くにおける錠箱に揺動可能に支承されると共に後端が前記係止レバーに近接する方向に付勢され、開扉時後端が前記係止レバーに選択的に係合するトリガー部材と、斜面を形成した前端部がフロント板を垂直に貫通するようにして、錠箱内で前後方向に移動可能に案内され、前方に付勢されると共に、一部をトリガー部材の前端に係合可能に臨ませたトリガーボルトと、錠箱に設けられ、ラッチボルト及び扉の操作部材に連係させたリトラクタとを備えた錠において、上記トルク軸を、錠箱の両側板間に掛け渡される固定の枢軸の外側に回動可能に嵌装される筒状の部材とし、このトルク軸の外周面中央部にピニオンを回り止めを施して同軸に固定し、一方、上記枢軸が挿通される貫通孔と、トルク軸の一端部に外側から回動可能に嵌合する嵌め孔とを連設したトルク軸受を、錠箱の側板内側に回り止めを施して固定すると共に、嵌め孔の開口端縁をピニオンに近接させるようにその長さを設定し、トルク軸とトルク軸受の嵌め合わせ部分にシリコンオイルその他の高粘性物質を介在させたことを特徴とする錠におけるラッチボルトの消音装置。
【請求項３】
トルク軸及びトルク軸受を合成樹脂材料で形成したことを特徴とする請求項１または請求項２に記載の錠におけるラッチボルトの消音装置。
【発明の詳細な説明】
【０００１】
【発明の属する技術分野】
この発明は、錠におけるラッチボルトの消音装置に関する。
【０００２】
【従来の技術】
この発明が適用される錠としては、例えば、本願人等が先に提案し特開平５−２２２８７２号及び特開平６−１６７１５２号として公開されたものを挙げることができる。
【０００３】
それら公報に示された錠は、突出する方向に付勢されて錠箱に可動に設けられたラッチボルトと、ラッチボルトにその長さ方向に沿って備えられたラック歯列と、ラッチボルトの近くにおける錠箱に回動可能に支承され前記ラック歯列に噛み合うピニオンと、そのピニオンに一体的に結合されピニオンの半径方向に延びる係止レバーと、中央部をフロント板の近くにおける錠箱に揺動可能に支承されると共に後端が前記係止レバーに近接する方向に付勢され、開扉時後端が前記係止レバーに選択的に係合するトリガー部材と、トリガー部材の前端と扉枠との間に設けられ、閉扉時該トリガー部材を非係合位置に変位させる磁石式起動手段と、錠箱に設けられ、ラッチボルト及び扉の操作部材に連係させたリトラクタとを備えたものであるが、ラッチボルト又はデッドボルトを兼ねるラッチボルトの閉扉時の突出作動音に関しては、それを低減させるについて改善の余地が見られる。
【０００４】
すなわち、このような従来の錠では、閉扉時、磁石式起動手段によりトリガー部材と係止レバーとの係合が解かれると、ラッチボルトは与えられた付勢力により勢いよく突出され、ストライク板に接触した場合やストッパと衝合するときに大きな音を出すことがある。
【０００５】
【発明が解決しようとする課題】
この発明は、閉扉時自動的に突出するラッチボルトが発生する衝突音を低減させることを目的とする。
【０００６】
【課題を解決するための手段】
上記の目的を達成するため、この発明の請求項１に係る錠におけるラッチボルトの消音装置は、上述した従来の錠において、トルク軸を、錠箱の両側板間に掛け渡される固定の枢軸の外側に回動可能に嵌装される筒状の部材とし、このトルク軸の外周面中央部にピニオンを回り止めを施して同軸に固定し、一方、上記枢軸が挿通される貫通孔と、トルク軸の一端部に外側から回動可能に嵌合する嵌め孔とを連設したトルク軸受を、錠箱の側板内側に回り止めを施して固定すると共に、嵌め孔の開口端縁をピニオンに近接させるようにその長さを設定し、トルク軸とトルク軸受の嵌め合わせ部分にシリコンオイルその他の高粘性物質を介在させたことを特徴とする。
【０００７】
また、請求項２に記載の発明によるラッチボルトの消音装置は、突出する方向に付勢されて錠箱に可動に設けられたラッチボルトと、ラッチボルトにその長さ方向に沿って備えられたラック歯列と、ラッチボルトの近くにおける錠箱に回動可能に支承され前記ラック歯列に噛み合うピニオンと、そのピニオンに一体的に結合されピニオンの半径方向に延びる係止レバーと、中央部をフロント板の近くにおける錠箱に揺動可能に支承されると共に後端が前記係止レバーに近接する方向に付勢され、開扉時後端が前記係止レバーに選択的に係合するトリガー部材と、斜面を形成した前端部がフロント板を垂直に貫通するようにして、錠箱内で前後方向に移動可能に案内され、前方に付勢されると共に、一部をトリガー部材の前端に係合可能に臨ませたトリガーボルトと、錠箱に設けられ、ラッチボルト及び扉の操作部材に連係させたリトラクタとを備えた錠において、上記トルク軸を、錠箱の両側板間に掛け渡される固定の枢軸の外側に回動可能に嵌装される筒状の部材とし、このトルク軸の外周面中央部にピニオンを回り止めを施して同軸に固定し、一方、上記枢軸が挿通される貫通孔と、トルク軸の一端部に外側から回動可能に嵌合する嵌め孔とを連設したトルク軸受を、錠箱の側板内側に回り止めを施して固定すると共に、嵌め孔の開口端縁をピニオンに近接させるようにその長さを設定し、トルク軸とトルク軸受の嵌め合わせ部分にシリコンオイルその他の高粘性物質を介在させたことを特徴とする。
【０００８】
また、請求項３に記載の発明は、請求項１または請求項２に記載の消音装置において、トルク軸及びトルク軸受を合成樹脂材料で形成したことを特徴とする。
【０００９】
【発明の実施の形態】
以下、図面に示す実施例に基いてこの発明について説明する。
図１は請求項１に記載の発明を実施した錠を開扉状態で示し、図２はその錠を閉扉状態で示している。
【００１０】
図１及び図２において、１は扉１０にねじ等で固定される錠箱、１１はそのフロント板、２は扉枠２０にねじ等で固定されるストライク板、２１はそのトロヨケをそれぞれ示す。
【００１１】
圧縮ばねその他のラッチばね３１で突出する方向に付勢されて錠箱１内に可動に設けられたラッチボルト３は、適当な案内手段で水平方向に変位できるようにしてある。
【００１２】
図示例の案内手段は、錠箱１に設けられた長孔１２とラッチボルト３に固定の受け板３２の一部をなす突片との組及びフロント板１１及び裏板の貫通孔１３に対するラッチボルト３の頭部の嵌挿により構成されている。
【００１３】
前記の長孔１２と受け板３２の突片の組は、ラッチボルト３の突出入の範囲を定めるストッパの役割も果たす。
【００１４】
ラッチボルト３の先端部に固設されたラッチブロック３３には、合成樹脂材料で作られたローラ３４が装着されると共に、横断面外形が矩形をなす角筒カバー３５がねじ等で固設されている。
【００１５】
また、角筒カバー３５の一部は後方へ延出させてあり、それにはラッチボルト３の長さ方向（前後方向）に沿ってラック歯列３６が設けてある。
【００１６】
そして、ラック歯列３６にはその近傍における錠箱１に回動可能に支承させたセクター歯車状のピニオン４１が噛み合わせてある。
【００１７】
前記のピニオン４１に一体に形成され、又は別体として結合された係止レバーは該ピニオン４１の半径方向に延出させてある。
【００１８】
図示例の係止レバー４２はラチエット歯車の一部をなす形状であるが、爪は少くも１つあればよい。爪が複数あると、ハンドル（図示しない）でラッチボルト３を引込み操作する時に、その操作を楽にする。それは、ハンドル操作を一気に行わなくても済むからある。
【００１９】
なお、図示例のラッチボルト３は空錠として作用させるために設けられているが、機械的又は電気的に作動させる錠止機構を付設すれば、そのラッチボルト３はデッドボルトを兼用させることもできる。
【００２０】
前述の係止レバー４２は、中央部をフロント板１１の近くにおける錠箱１に揺動可能に支承されると共に、後端が該係止レバー４２に近接する方向にねじりばね等のトリガーばね５１で付勢されたトリガー部材５に対し、ラッチボルト３が引っ込められて扉１０が開放された時選択的に係合する（図１参照）。開扉時トリガー部材５はその後端が係止レバー４２に係合する。
【００２１】
そして、トリガー部材５の前端と、それが対向する扉枠２０におけるストライク板２との間には、閉扉時該トリガー部材５を係止レバー４２に対する係合位置（図１参照）から非係合位置（図２参照）に変位させる磁石式起動手段６を設ける。
【００２２】
図示例の起動手段６は、特開平５−２２２８７２号公報に記載のものと同様にトリガー部材５の前端に固定した第１永久磁石６１と、扉枠２０側に固定した第２永久磁石６２とを同磁極で対向させて成る反発作用タイプのものである。
【００２３】
他の磁石式起動手段としては、図示はしないが、トリガー部材の前端に固定する第１永久磁石６１と扉枠側に固定する第２永久磁石とを異磁極で対向させて成る吸着作用タイプのものも利用することができる。この吸着作用タイプの起動手段は特開平６−１６７１５２号公報に記載されている。
【００２４】
なお、磁石式起動手段６の磁石として電磁石を用いてもよいこと、また、後者の吸着作用タイプの起動手段において一方の磁石に変えて帯磁されていない強磁性材料を用いてもよいことは言うまでもない。
【００２５】
一方、前記の錠箱１内には更にリトラクタ７を回動可能に支承する。このリトラクタは、ねじりばね等の戻しばね７１を備えており、ラッチボルト３には後方の受け板３２を介して連係され、扉１０のノブ等の操作部材（図示しない）には角軸を介して連係されている。
【００２６】
このような構造の錠のほとんどは前出の公報に示されているので、その作動についてはここでは簡単に説明する。
【００２７】
図１の扉１０の開放時には、トリガー部材５の後端はトリガーばね５１の付勢により係止レバー４２に近接した位置にあって該係止レバー４２に係合しており、ラッチボルト３はピニオン４１及びラック歯列３６を介しラッチばね３１に抗して後方の引っ込み位置に拘束されている。
【００２８】
ここで、図２に示すように、扉１０を閉鎖させると、磁石式起動手段６が自動的に作動してトリガー部材５と係止レバー４１との係合が解かれるので、拘束が解かれて自由となったラッチボルト３は突出してストライク板２の係入孔２２に係入し、扉１０を閉鎖状態に保持させる。
【００２９】
次に扉１０を開放させるには、操作部材を図２で右回りに回動させ、リトラクタ７の先端で受け板３２を介してラッチボルト３を引っ込ませる。
【００３０】
そこで、ラッチボルト３の拘束が解かれた扉１０を手で開放させると、図１に示すように、磁石式起動手段６が非作用状態となって、トリガー部材５がトリガーばね５１の付勢力によって係合位置まで揺動するので、そのトリガー部材５によって係止レバー４２の図１で右回りの揺動が拘束されピニオン４１もまた同方向への回動が拘束され、もってラッチボルト３は引っ込み位置に拘束されることになる。
【００３１】
次に、この発明の要部について説明する。この発明においては、図３及び図４に明示するように、前記のピニオン４１には例えば受け孔４３及びそれに連続する止め孔４４を穿設して、そこへ例えば円筒状をなし好ましくは適度な弾性を有するポリアミド樹脂などの合成樹脂材料で作られたトルク軸８１を嵌挿し、少くも回転方向には両者４１、８１間を固定する。
【００３２】
図示の実施例では、トルク軸８１には一体の回り止め８２が形成してあって、それがピニオン４１の止め孔４４に係合し、両者４１、８１が組み付けられた状態では一体的に回動できる。
【００３３】
一方、トルク軸８１と対をなすトルク軸受８６は例えば外形が直方体状をなし、好ましくは適度の弾性を有するポリアミド樹脂などの合成樹脂材料で作られており、そのほぼ中央部にはトルク軸８１の小径部８３を受け入れる嵌め孔８７を有する。
【００３４】
トルク軸受８６の外側面には横断面が正方形など非円形の小突起８９が一体に設けられており、その突起８９を錠箱１の側板に設けた角形の非円形の小孔１４（図３参照）に嵌め込み、もってトルク軸受８６は錠箱１に対し不動とされる。
【００３５】
また、トルク軸８１及びトルク軸受８６の中央部分には、錠箱１の両側板間に掛け渡される固定の枢軸４５が挿通される貫通孔８４、８８がそれぞれ設けられている。
【００３６】
従って、図３に示すような組立状態では、トルク軸８１、トルク軸受８６及び係止レバー４２を含むピニオン４１は、全体として枢軸４５で支持されることになる。
【００３７】
そして、トルク軸８１と係止レバー４２を含むピニオン４１とは一体的に組み付けられた状態で固定の枢軸４５及びトルク軸受８６に対して回動できるようにしてある。
【００３８】
この発明の装置において、更に重要なことは、相対的に回動可能なトルク軸８１とトルク軸受８６との間における円弧状回動面をなす嵌め合わせ部分（８３、８７）にシリコンオイル、グリスその他の高粘性物質９を介在させることである。
【００３９】
トルク軸８１とトルク軸受８６との嵌め合わせ対向部分（８３、８７）間には、高粘性物質９を介在させるためにわずかな間隙を形成するものとする。
【００４０】
嵌め合わせ部分（８３、８７）に対し高粘性物質９を施す方法としては、塗布手段、注入手段など任意の付着手段を用いることができる。
【００４１】
なお、図示例の枢軸４５は錠箱１の側板に対し固定したものとして示し、トルク軸８１及びピニオン４１（係止レバー４２を含む）はその枢軸４５の回りを回動するものとしたが、枢軸は錠箱１の側板に対し回転するように装着することもでき、その場合、トルク軸８１及びピニオン４１は回転枢軸に対し共に固定させるものであることは言うまでもない。
【００４２】
また、図示例にあっては、トルク軸８１とトルク軸受８６との嵌め合わせ部分において、トルク軸８１の小径部８３をトルク軸受８６の嵌め孔８７に嵌挿させているが、図示はしないが逆にして、トルク軸受８６に円筒部を突設してトルク軸８１に設けた嵌め孔にそれを嵌挿させてもよい。その場合にも嵌め合わせ部分に高粘性物質を施すことには変わりはない。
【００４３】
上述した請求項１の発明によるラッチボルトの消音装置においては、閉扉時磁石式起動手段６を用いてトリガー部材５を駆動するようにしているが、これは公知のトリガーボルトを用いても良い。
【００４４】
請求項２に記載の発明は、閉扉時トリガー部材５を作動させる為にトリガーボルトを採用したもので、その構成を図５及び図６を参照して説明する。但し、上述した請求項１に記載の発明と異なるところは、磁石式起動手段６に替えてトリガーボルトを採用した点のみであるから、その相違点についてのみ簡単に説明する。
【００４５】
図５及び図６において符号６３はトリガーボルトを示し、図示の実施例におけるトリガーボルト６３は、前端部（図で左端部）を水平投影山形に成形した横断面形状が矩形の杆体で、前端部がフロント板１１を錠箱１の内側から貫通して外部に突出している。
【００４６】
また、トリガーボルト６３の後端は、錠箱１内に固設された断面Ｌ字形の案内部材６４を摺動可能に貫通しているので、結局、トリガーボルト６３はフロント板１１に垂直な前後方向に案内されることになる。
【００４７】
更にまた、図６に示すように、トリガーボルト６３の側面中央部には、ばね掛け凸部６５と係合凸部６６とがそれぞれ一体に突設されており、図５に示すように、これらの凸部と上記案内部材６４との間におけるトリガーボルト６３には、圧縮コイルばねとしてのトリガーばね７が巻装されている。
【００４８】
一方、図５に示すように、トリガー体５の前端（下端）は、トリガーボルトの係合凸部６６（図６）の先端部に後方から係合可能に臨んでいる。
【００４９】
上記した構成により、請求項２に記載の発明によるラッチボルトの消音装置は、閉扉時トリガーボルト６３の前端部が扉枠と係合し、楔作用によって錠箱内に押込まれるように後方に移動するので、その係合凸部６６がトリガー体５の前端を後方に移動させ、その結果トリガー体５が反時計方向に回動するので、係止レバー４２がトリガー体５から解放され、前記したと同様にしてラッチボルト３が前方に突出する。
【００５０】
この時にも、前記した高粘性物質９を間に挟んでトルク軸８１とトルク軸受８６とが相対回動するので、ラッチボルトの付勢力がその分減衰されて勢いを失い、ラッチボルトが減速されて緩衝されるのは言うまでも無い。
【００５１】
【発明の効果】
以上に説明したこの発明の錠におけるラッチボルトの消音装置によれば、閉扉して自動的にラッチボルトが突出する際、その付勢力が、ラック歯列を経てピニオンに伝えられる経路において、トルク軸及びトルク軸受の嵌め合わせ部分に施された高粘性物質により減衰されるので、ラッチボルトがストライク板に接触した場合やラッチボルトのストッパが衝合したときの衝突音を著しく低減させるという効果を奏する。
【００５２】
また、トルク軸及びトルク軸受を合成樹脂材料で形成したものは、ピニオンから錠箱に至る音の伝導を防止でき音の低減効果を更に増す他、トルク軸とトルク軸受間で嵌め合わせ部分に施した高粘性物質をほとんど垂れない状態で密封できるなどの効果を奏する。
【図面の簡単な説明】
【図１】請求項１に記載の発明の錠におけるラッチボルトの消音装置を開扉状態で示す縦断側面図。
【図２】閉扉状態で示すその縦断側面図。
【図３】（Ａ）は図１の消音装置を拡大して示す縦断正面図、（Ｂ）は図３（Ａ）のＩＩＩ−ＩＩＩ線による拡大断面図。
【図４】トルク軸、トルク軸受及び係止レバーを兼ねるピニオンの拡大分解斜視図。
【図５】請求項２に記載の発明による錠におけるラッチボルトの消音装置を開扉状態で示す縦断側面図。
【図６】トリガーボルトの拡大平面図。
【符号の説明】
１０  扉
２０  扉枠
１  錠箱
１１  フロント板
３  ラッチボルト
３６  ラック歯列
４１  ピニオン
４２  係止レバー
５  トリガー部材
６  磁石式起動手段
７  リトラクタ
８１  トルク軸
８６  トルク軸受
９  高粘性物質
６３  トリガーボルト
【図１】
0003710104.tif 000002
【図２】
0003710104.tif 000003
【図３】
0003710104.tif 000004
【図４】
0003710104.tif 000005
【図５】
0003710104.tif 000006
【図６】
0003710104.tif 000007